(57)【要約】【課題】垂直布設バスダクトの分岐部分に用いることができる垂直布設バスダクトの防水分岐構造を提供する。【解決手段】垂直方向に布設されたバスダクト１から分岐する分岐導体２１５と、分岐導体２１５の上側に設けられ、バスダクト１から外方に突出するフランジ部２２と、フランジ部２２の下側に設けられ、分岐導体２１５を被覆するカバー部４と、カバー部４に設けられ、分岐導体２１５からの分岐路を導出可能な挿通開口部４１５１を備える垂直布設バスダクトの防水分岐構造。【選択図】図８
2010166762.tif 000002
【特許請求の範囲】
【請求項１】
垂直布設バスダクトから分岐する分岐導体と、
前記分岐導体の上側に設けられ、前記垂直布設バスダクトから外方に突出するフランジ部と、
前記フランジ部の下側に設けられ、前記分岐導体を被覆するカバー部と、
前記カバー部に設けられ、前記分岐導体からの分岐路を導出可能な導出部とを備えることを特徴とする垂直布設バスダクトの防水分岐構造。
【請求項２】
前記垂直布設バスダクトの接合部に対応して前記接合部を被覆するカバーを備えることを特徴とする請求項１記載の垂直布設バスダクトの防水分岐構造。
【請求項３】
前記カバーの下端で外方に突出する突出片を設けることを特徴とする請求項２記載の垂直布設バスダクトの防水分岐構造。
【請求項４】
前記分岐路を、前記分岐導体と遮断器を介して別の分岐導体を接続可能な分岐ユニットを設けて構成し、
前記カバー部が、前記分岐ユニットを被覆すると共に、
前記導出部が、前記別の分岐導体を導出可能であることを特徴とする請求項１〜３の何れかに記載の垂直布設バスダクトの防水分岐構造。
【請求項５】
前記カバー部に、前記遮断器の切替部に対応する開口と、前記開口を閉塞する蓋体を設けることを特徴とする請求項４記載の垂直布設バスダクトの防水分岐構造。
【請求項６】
上側に配置される一のバスダクトユニットと下側に配置される他のバスダクトユニットとの間に上部にフランジ部を有する接続部を配置し、前記一のバスダクトユニットと前記他のバスダクトユニットとを前記接続部を介して電気的に接続して連結する工程と、
前記フランジ部の下側の領域を被覆するようにして、前記接続部からの分岐路を導出可能な導出部を有するカバー部を設ける工程とを備えることを特徴とする垂直布設バスダクトの防水分岐構造の組立方法。
【発明の詳細な説明】
【技術分野】
【０００１】
本発明は、垂直方向に布設されるバスダクトの防水分岐構造及びその組立方法に関する。
【背景技術】
【０００２】
従来、垂直方向に布設されるバスダクトの防水に関連する技術として、特許文献１の防水構造がある。特許文献１の防水構造は、バスダクトユニットの周囲外方に突出するフランジ部をハウジングに固定し、フランジ部より下方位置に接続部カバー部を接続部領域の全周を覆うように設け、接続部領域以外の領域に接合部カバーをハウジングの長手方向に延びる接合部を覆うように設けるものである。前記接続部カバー部は、外方に延設される固定片と内方に延設される下端被覆片を有し、固定片によりフランジ部に固定されると共に、その下端被覆片がハウジングの補強部や接合部カバーに当接するようになっている。
【０００３】
【特許文献１】特開２００６−１１５６３２号公報
【発明の開示】
【発明が解決しようとする課題】
【０００４】
ところで、特許文献１の防水構造は、バスダクトユニットの接続部をフランジ部や接続部カバー部の下端被覆片で完全に閉塞するようにして設けられるものであるため、接続部が分岐部分である場合に前記防水構造を設置すると、分岐することができなくなるという問題がある。そのため、垂直布設バスダクトにおいて、接続部等の分岐部分に用いることができる防水構造が求められている。
【０００５】
本発明は上記課題に鑑みて提案するものであり、垂直布設バスダクトの分岐部分に用いることができる垂直布設バスダクトの防水分岐構造及びその組立方法を提供することを目的とする。
【課題を解決するための手段】
【０００６】
本発明の垂直布設バスダクトの防水分岐構造は、垂直布設バスダクトから分岐する分岐導体と、前記分岐導体の上側に設けられ、前記垂直布設バスダクトから外方に突出するフランジ部と、前記フランジ部の下側に設けられ、前記分岐導体を被覆するカバー部と、前記カバー部に設けられ、前記分岐導体からの分岐路を導出可能な導出部とを備えることを特徴とする。例えばバスダクトのハウジング外に分岐する第１分岐導体を設け、第１分岐導体に電気的に接続して各機器等に分岐する第２分岐導体を設け、第１分岐導体の周囲若しくは第１分岐導体と第２分岐導体の一部の周囲を被覆するカバー部を設置し、カバー部の下面に第２分岐導体を導出可能な開口等の導出部を設ける構成等とする。
【０００７】
また、本発明の垂直布設バスダクトの防水分岐構造は、前記垂直布設バスダクトの接合部に対応して前記接合部を被覆するカバーを備えることを特徴とする。
【０００８】
また、本発明の垂直布設バスダクトの防水分岐構造は、前記カバーの下端で外方に突出する突出片を設けることを特徴とする。
【０００９】
また、本発明の垂直布設バスダクトの防水分岐構造は、前記分岐路を、前記分岐導体と遮断器を介して別の分岐導体を接続可能な分岐ユニットを設けて構成し、前記カバー部が、前記分岐ユニットを被覆すると共に、前記導出部が、前記別の分岐導体を導出可能であることを特徴とする。前記遮断器は、バスダクトのハウジングに固定されるベースに固定される構成とすると好適である。
【００１０】
また、本発明の垂直布設バスダクトの防水分岐構造は、前記カバー部に、前記遮断器の切替部に対応する開口と、前記開口を閉塞する蓋体を設けることを特徴とする。
【００１１】
前記防水分岐構造は、前記分岐導体を、前記垂直布設バスダクトを構成するバスダクトユニットを相互に接続する接続部に設け、前記バスダクトユニットを相互に電気的に接続する導電性接続部材を導出して前記分岐導体とする、若しくは前記導電性接続部材に電気的に接続される分岐用端子を前記分岐導体とすると好適である。例えば一のバスダクトユニットの導体と、他のバスダクトユニットの導体を突き合わせ、接続部の導電性接続部材をこれらの導体の外方に沿うように配置して導体相互を電気的に接続し、この導電性接続部材をハウジング外に導出して分岐導体とする、若しくは分岐用端子をこの導電性接続部材に接触させて電気的に接続して分岐導体とする構成等とする。
【００１２】
また、本発明の垂直布設バスダクトの防水分岐構造の組立方法は、上側に配置される一のバスダクトユニットと下側に配置される他のバスダクトユニットとの間に上部にフランジ部を有する接続部を配置し、前記一のバスダクトユニットと前記他のバスダクトユニットとを前記接続部を介して電気的に接続して連結する工程と、前記フランジ部の下側の領域を被覆するようにして、前記接続部からの分岐路を導出可能な導出部を有するカバー部を設ける工程とを備えることを特徴とする。
【発明の効果】
【００１３】
本発明の垂直布設バスダクトの防水分岐構造或いはその組立方法は、垂直布設バスダクトの分岐部分に用いて確実に防水することができる。従って、屋外等に設置するバスダクトでも容易に分岐することが可能となり、顧客の多様な要望に沿ったバスダクトを提供することが可能とする。
【００１４】
また、フランジ部の下側に設けられ、分岐導体を被覆するカバー部と、垂直布設バスダクトの接合部に対応して前記接合部を被覆するカバーを設けることにより、必要な部分のみを被覆し、防水構造の被覆による垂直布設バスダクトの大型化や、バスダクト内の温度上昇を抑制することができる。
【００１５】
また、カバーの下端で外方に突出する突出片を設けることにより、カバーを伝って落下する水をバスダクトから遠い距離へと導き、より確実に防水することができる。
【００１６】
また、カバー部が分岐ユニットを被覆すると共に、導出部が別の分岐導体を導出可能とすることにより、分岐ユニットを設ける場合にも確実に防水しつつ、容易に分岐することができる。
【００１７】
また、カバー部に、遮断器の切替部に対応する開口と、開口を閉塞する蓋体を設けることにより、遮断器による分岐の切替え時にカバー部を外さなくてもを容易且つ確実に切替を行うことができる。
【００１８】
また、上側に配置される一のバスダクトユニットと下側に配置される他のバスダクトユニットとの間に上部にフランジ部を有する接続部を配置し、一のバスダクトユニットと他のバスダクトユニットとを接続部を介して電気的に接続して連結する工程等を用いることにより、接続部の設置時にフランジ部を設けることができるので、効率的に防水構造を組み立てることができる。
【発明を実施するための最良の形態】
【００１９】
本発明の垂直布設バスダクトの防水分岐構造及びその組立方法について、図に示す実施形態により説明する。
【００２０】
〔実施形態の垂直布設バスダクトの防水分岐構造及びその組立方法〕
本実施形態の垂直布設バスダクトの防水分岐構造における垂直布設バスダクトは、複数のバスダクトユニット１を接続部２で電気的に接続し且つ連結して、垂直方向に布設して構成される。バスダクトユニット１は、図１及び図２に示すように、平板状の導体１２１を３線有し、各導体１２１は絶縁物１２２で被覆され、密着した状態で並設されている。導体１２１の幅方向両側にはスペーサ１３が配設され、並設された導体１２１の厚さ方向両外側で、且つスペーサ１３の外側には側板１４、より詳細には側板１４の基面１４１が配設されている。側板１４は、断面略コ字形であり、平板状の基面１４１と、基面１４１の側端縁を外方に屈曲して延設される第１補強部１４２と、第１補強部１４２の端縁を内方に屈曲して延設される第２補強部１４３とから構成され、側板１４・１４相互は、基面１４１の挿通穴に挿通されるボルトやナット等の締着具１５で締着されている。
【００２１】
バスダクトユニット１の長さ方向両端部では、両外側の導体１２１が段差部を介して所定距離離間して配置され、且つ絶縁物１２２から露出されており、後述する接続部２で、一のバスダクトユニット１と他のバスダクトユニット１の接続が可能になっている。更に、両外側の側板１４・１４には、それぞれ外側に拡開するように形成された本体接続側板１４４が設けられ、接続部２に連結可能になっている。
【００２２】
バスダクトユニット１の幅方向両側には断面コ字形の本体カバー１６が設けられる。本体カバー１６は、バスダクトユニット１の幅方向両側に位置するスペーサ１３の外側面及び第１補強部１４２の外側面を被覆するように配置され、両面テープなどの固定手段１６１でスペーサ１３の外側面及び第１補強部１４２の外側面等に固定され、スペーサ１３と側板１４の基面１４１との間を防水可能になっている。即ち、本体カバー１６は、スペーサ１３と側板１４の基面１４１との間等の垂直布設バスダクトの接合部に対応して、前記接合部を被覆するカバーに相当する。垂直方向のバスダクトユニット１を複数布設する状態において、本体カバー１６の上端は本体接続側板１４４の段差部近傍までの長さを有し、その下端は本体接続側板１４４の先端部近傍までの長さを有し、その下端には外方に屈曲延設された屈曲片１６２が設けられている。屈曲片１６２は、カバーの下端で外方に突出する突出片に相当する。また、バスダクトユニット１の下端側の本体接続側板１４４の外側にも、下縁が外方に屈曲延設された断面略Ｌ字形の水切部１７が設けられ、図２に示すように、屈曲片１６２と水切り部１７の下縁とを合わせて、バスダクトユニット１或いは垂直布設バスダクトの全周に亘って水切りが設けられる。
【００２３】
上記のバスダクトユニット１を図３に示す接続部２で複数電気的に接続することにより、垂直布設のバスダクト幹線が形成される。図３の接続部２は、同相の導体１２１・１２１相互を突き合わせ接続する接続ユニット２１と、接続ユニット２１の上側に配置され、接続ユニット２１の接続箇所以外の上面を全体に亘って被覆するフランジ部２２とから構成されており、フランジ部２２は、後述する分岐導体２１５の上側に設けられ、垂直布設バスダクトから外方に突出し、周状に設けられる。
【００２４】
接続ユニット２１は、図３（ｂ）及び（ｄ）に示すように、同相の導体１２１の両側に沿うように配設される導電性接続部材２１１と、異相の導電性接続部材２１１間及び最外側の導電性接続部材２１１の外側に配置される絶縁セパレータ２１２と、最外側に配設され、上下に配置されるバスダクトユニット１・１の本体接続側板１４４・１４４相互を接続する接続側板２１３とから構成され、これらがボルト・ナット等の締着具２１４で一括して仮締着されている。
【００２５】
接続されるバスダクトユニット１の導体１２１の幅方向一方側に対応する、導電性接続部材２１１の一方側の一部は、接続側板２１３よりも外方まで突出形成され、垂直布設バスダクトから分岐する分岐導体２１５になっており、分岐導体２１５に後述するブレーカ３１等を接続して分岐するようになっている。中相の分岐導体２１５は、中相の両側外相の分岐導体２１５・２１５よりも外方まで突出しており、接続される状態で配置された導体１２１の長さ方向から見て、各分岐導体２１５がデルタ状に形成され、外方に突出して配置されている。外側相の分岐導体２１５は、外側相の導体１２１の外側に位置する導電性接続部材２１１の一部をそのまま直線状に外方へ突出して形成され、中相の分岐導体２１５は、一方の導電性接続部材２１１の一部を段差部によって屈曲し、外側相の分岐導体２１５の厚さ方向中間位置において、外方へ突出形成されている。
【００２６】
異相間を絶縁する絶縁セパレータ２１２は、略平板状の第１絶縁板２１２１と、第１絶縁板２１２１の両側に、第１絶縁板２１２１よりも厚さ方向からみた面積が大きい第２絶縁板２１２２とを重ね合わせて形成され、外側相と接続側板２１３とを絶縁する絶縁セパレータ２１２は、第１絶縁板２１２１の内側面に第２絶縁板２１２２を重ねて合わせて形成されている。絶縁セパレータ２１２も、異相の分岐導体２１５相互を絶縁するために外方へ突出形成され、図３（ｆ）に示すように、外側に位置する絶縁セパレータ２１２の第２絶縁板２１２２と、異相間の絶縁セパレータ２１２の外方に位置する第２絶縁板２１２２は、外側の分岐導体２１５の途中程度までの長さで、そのまま直線状に外方に突出して形成され、異相間の絶縁セパレータ２１２の内方に位置する第２絶縁板２１２２は、外側の分岐導体２１５よりも外側位置まで、そのまま直接状に外方に突出して形成されている。
【００２７】
接続側板２１３は、平板状の基板２１３１と、基板２１３１の下端側に基板２１３１から段差部を介して拡開されている接続片２１３２とを有し、接続片２１３２は、下側に配置されるバスダクトユニット１の本体接続側板１４４が内面側で当接するように配設されている。接続側板２１３の厚さ方向両側には、基板２１３１から外側に屈曲延設されている取付片２１３３が設けられ、後述するブレーカ３１等を配設するためのベース３２或いは分岐ユニット３を取付可能になっている。
【００２８】
フランジ部２２は、図３（ｇ）及び（ｈ）に示すように、接続ユニット２１の上面側を被覆する被覆部材２２２と、被覆部材２２２に取り付けられるキャップ２２３とから構成される。被覆部材２２２は、平板状で接続ユニット２１の上面側の略全体を覆う基板２２２１と、基板２２２１の端縁を下方に屈曲延設して形成され、後述するカバー部４が取付けられる垂下片２２２２と、基板２２２１に接続ユニット２１の接続側板２１３の上側を挿通可能な挿通部２２２３と、挿通部２２２３の周縁のうち対向する２辺において、基板２２２１を上方に屈曲延設して形成されている上方片２２２４とを有する。キャップ２２３は、上面２２３１と、上面２２３１から下方に垂下する側面２２３２と、上面２２３１の略中央に形成され、接続すべき上側のバスダクトユニット１の導体１２１を挿通可能な挿通孔２２３３とを有し、被覆部材２２２の上方に配置される。キャップ２２３において、側面２２３２の対向する２面で、且つ被覆部材２２２上に配置した際に被覆部材２２２の上方片２２２４に対応する２面は、他の２面よりも短く垂下するように形成されている。
【００２９】
キャップ２２３は、被覆部材２２２の上側で、且つそれぞれの挿通孔２２２３と挿通部２２３３を接続すべき導体１２１長さ方向から見て略同一位置に位置するように配設される。そして、キャップ２２３が配置された被覆部材２２２の挿通部２２２３に、下方から接続ユニット２１の接続側板２１３を挿通し、上側に位置するキャップ２２３の側面２２３２と接続側板２１３をリベット等の固定具にて固定することにより接続部２が形成される。
【００３０】
以上のバスダクトユニット１及び接続部２は、図４及び図５に示すように、上側に配置される一のバスダクトユニット１と下側に配置される他のバスダクトユニット１との間に上部にフランジ部２２を有する接続部２を配置し、一のバスダクトユニット１と他のバスダクトユニット１とを接続部２を介して電気的に接続して連結する。即ち、図４に示すように、上側に配置するバスダクトユニット１の下端において、本体カバー１６及び本体接続側板１４４で形成される矩形空間内に、接続部２のキャップ２２３を挿通するように配設し、図５（ｂ）に示すように、上側のバスダクトユニット１の導体１２１を、接続ユニット２１の導電性接続部材２１１・２１１間に配置し、内側に配置される被覆部材２２２の上方片２２２４と、上側のバスダクトユニット１の本体接続側板１４４及び水切部１７とを一括してビス等で固定して接続する。また、下側に配置されるバスダクトユニット１と接続部２は、下側のバスダクトユニット１の導体１２１を接続ユニット２１の導電性接続部材２１１・２１１間に配置すると共に、バスダクトユニット１の本体接続側板１４４を接続ユニット２１の接続片２１３２の内側に配置し、ビス等で固定して接続する。そして、仮締着状態の接続ユニット２１の締着具２１４を締め付けることにより、上下のバスダクトユニット１・１の電気的な接続及び連結が完了する。
【００３１】
その後、図５に示すように、分岐導体２１５が突出しない側の接続ユニット２１の幅方向端部の開口部に、断面コ字形の接続カバー２３を被覆し、接続カバー２３を接続ユニット２１の取付片２１３３及び下側のバスダクト１の第１補強部１４２にボルト・ナット等で固定する。また、接続ユニット２１の分岐導体２１５が突出している側には、ブレーカ３１とベース３２と固定金具３３を有する分岐ユニット３が設けられ、ブレーカ３１が取り付けられたベース３２を接続ユニット２１の取付片２１３３及び下側のバスダクトユニット１の第１補強部１４２に沿うように配置し、固定金具３３を介して締着具３３４で固定する。その後、図６に示すように、分岐導体２１５とブレーカ３１とを可撓性を有する可撓導体３４で接続する。
【００３２】
ベース３２は、ブレーカ３１の底面が固定される平板状の固定面３２１と、固定面３２１の導体１２１の長さ方向両端縁をバスダクトユニット１側へ屈曲延設するように設けられる脚片３２２と、上側の脚片３２２の端縁を上方へ屈曲延設するように設けられ、分岐導体２１５を挿通可能な挿通部３２３を有する分岐面３２４と、分岐面３２４の上端を外方へ屈曲延設するように設けられる塞ぎ面３２５と、下側の脚片３２２の端縁を下方へ屈曲延設するように設けられ、固定金具３３が取り付けられる固定片３２６と、固定片３２６の下端をバスダクトユニット１側へ屈曲延設するように設けられる支持片３２７とを有し、垂直布設バスダクトに取りつけた際に、分岐面３２４と支持片３２７が垂直布設バスダクト或いはバスダクトユニット１に略当接するようになっている。前記構成において、塞ぎ面３２５を設けることにより、被覆部材２２２の下面に結露水等が発生した場合に、ブレーカ３１に直接当たらないようにすることが可能となる。また、脚片３２２を設けることにより、ブレーカ３１をバスダクトユニット１から浮かせることが可能となり、ブレーカ３１のベース３２への取付けを容易化できると共に、バスダクトユニット１の熱が直接ブレーカ３１に伝わることを防止できる。また、支持片３２７を設けることにより、固定片３２６の位置にビスの頭などが存在した場合に、干渉を回避することが可能となると共に、固定金具３３による固定強度を増すことが可能となる。
【００３３】
固定金具３３は、図６（ｄ）に示すように、固定片３２６と一端が当接する間隔片３３１と、間隔片３３１の下端をバスダクト１の厚さ方向へ屈曲延設するように設けられる延設片３３２と、延設片３３２の端縁を鈍角に屈曲延設する支え片３３３とを有し、延設片３３２には締着具３３４であるボルトを挿通可能になっている。前記ボルトは、延設片３３２と固定片３２６に挿通され、前記ボルト及びナット等の締着具３３４で延設片３３２と固定片３２６とが一体化されている。そして、締着具３３４を締め付けることにより、支え片３３３がバスダクトユニット１の側板１４の基面１４１と第１補強部１４２の屈曲箇所の内側に当接して押える構造となっており、固定金具３３により固定力が第１補強部１４２という薄い鋼板箇所にのみ係ることを防止して、第１補強部１４２の変形を未然に防止することができると共に、分岐ユニット３とバスダクトユニット１を確実に且つ強固に固定することが可能である。
【００３４】
上記の如く、分岐ユニット３を取り付けた後に、フランジ部２２の下側の領域を被覆するようにして、接続部２からの分岐路を導出可能な導出部を有するカバー部４を設ける。即ち、接続部２及び分岐ユニット３のバスダクトユニット１の厚さ方向及び幅方向の４面を、図７及び図８に示すように、分岐導体２１５からの分岐路を導出可能な導出部を有するカバー部４で被覆することにより防水処理が完了する。カバー部４は、バスダクトユニット１の厚さ方向両側に配置される側面カバー部材４１と、分岐ユニット３側に配置される分岐ユニット側カバー部材４２と、分岐ユニット３と反対側に配置される幅面カバー部材４３とから構成され、フランジ部２２の下側に設けられ、分岐箇所の全周をカバーし、分岐導体２１５を被覆する。
【００３５】
側面カバー部材４１は、平板の基面４１１と、基面４１１の上端を外方に屈曲延設して形成されている上端片４１２と、上端片４１２の端縁を下方に屈曲延設して形成されている垂下片４１３と、基面４１１の両側辺から外側に屈曲延設され、分岐ユニット側カバー部材４２、幅面カバー部材４３と固定状態となる側方固定片４１４と、基面４１１の下端からバスダクトユニット１側へ屈曲延設して形成されている下側片４１５とを有する。下側片４１５は、カバー部４の下面とバスダクトユニット１の側板１４の基面１４１との間の隙間を閉塞し、且つ分岐ユニット３の下側開口を閉塞するようになっている。下側片４１５には、ブレーカ３１に外部の機器へ電流を導く別の分岐導体を接続し、その別の分岐導体を挿通して導出可能な挿通開口部４１５１（導出部に相当）が設けられており、前記別の分岐導体を挿通する前には、挿通開口部４１５１は取り付けられている蓋体４１５２で閉塞されている。側面カバー部材４１は、フランジ部２２の被覆部材２２２の垂下片２２２２の内側に位置するように配置され、垂下片２２２２と、側面カバー部材４１の垂下片４１３とがビス等で固定されている。
【００３６】
分岐ユニット側カバー部材４２は、平板の基面４２１と、基面４２１の上端を外方に屈曲延設して形成されている上端片４２２と、上端片４２２の端縁を下方に屈曲延設して形成されている垂下片４２３と、基面４２１の両側辺から内側に屈曲延設され、側面カバー部材４１の側方固定片４１４の端縁が略当接する屈曲片４２４と、基面４２１の下端をバスダクトユニット１側に屈曲延設して形成されている延設片４２５を有する。基面４２１には、遮断器であるブレーカ３１の切替部であるスイッチ部の操作を行うことが可能なように取外し可能に設けられた点検蓋部４２６と、点検蓋部４２６の略中央に位置し、透明で内部を目視可能な点検窓４２７とが設けられていると共に、点検蓋部４２６の上方には、上方からの水を遮断するための遮断蓋４２８が取付けられている。点検蓋部４２６が設けられている開口は、カバー部４に設けられる遮断器の切替部に対応する開口に相当し、点検蓋部４２６は、前記開口を閉塞する蓋体に相当する。分岐ユニット側カバー部材４２は、被覆部材２２２の垂下片２２２２及び側面カバー部材４１の側方固定片４１４にビス等で固定される。
【００３７】
幅面カバー部材４３は、平板の基面４３１と、基面４３１の上端を外方に屈曲延設して形成されてなる上端片４３２と、上端片４３２の端縁を下方に屈曲延設して形成されている垂下片４３３と、基面４３１の両側辺から内側に屈曲延設され、側面カバー部材４１の側方固定片４１４の端縁が略当接する屈曲片４３４と、基面４３１の下側にバスダクトユニット１側に屈曲延設して形成されている延設片４３５を有している。幅面カバー部材４３は、被覆部材２２２の垂下片２２２２及び側面カバー部材４１の側方固定片４１４にビス等で固定される。
【００３８】
カバー部４は、図７及び図８に示すように、カバー部４で囲まれた矩形空間より外側で各部材をビス、或いはボルト・ナット等で固定することにより、ボルトなどを通る水の浸入を未然に防止することが可能となると共に、確実に分岐箇所或いは接続箇所の防水を行うことが可能となる。従って、垂直布設バスダクトを屋外型バスダクトとする場合にも分岐を取ることができ、全体的にコンパクトで省スペース化を図ることも可能となる。また、ブレーカ３１を有する分岐ユニット３など分岐を行なう部分のカバーをカバー部４で兼用すること可能となり、コストダウンを図ることができる。
【００３９】
〔実施形態の変形例等〕
本発明は上記実施形態に限定されるものではなく、下記例のように様々な変形や拡張が可能であり、下記例以外にも、本発明には各例示の必要な構成を部分的に削除し、或いは一の例示の構成に他の例示の構成を部分的に追加し、或いは一の例示の構成を他の例示の構成に部分的に変更したものも含まれ、様々な例示の構成を組み合わせたものが含まれる。
【００４０】
例えば上記実施形態では、導体１２１に絶縁物１２２を被覆するバスダクトユニット１を例にして本発明を説明したが、各導体１２１の間隔を広く保ち、空気で絶縁可能な所謂空気絶縁型バスダクトユニットに本発明を適用してもよい。また、バスダクトユニット１のハウジングを構成する側板１４或いはスペーサ１３の構成及び形状などは適宜であり、また、３線式のバスダクト以外に４線以上、或いは２線以下のバスダクトにも本発明は適用可能である。また、上記例では、バスダクトユニット１の接続方法が突き合わせ接続である場合について説明したが、バスダクトユニット１の導体１２１・１２１相互を重ね合わせて接続する所謂重ね合わせ接続の場合にも本発明は適用可能である。また、上記例では、バスダクトユニット１の本体の防水構造として、側板１４とスペーサ１３の重なり部分である接合部に本体カバー１６を貼設する構成について説明したが、本体についても四面に配置されるカバーで被覆する構成とすることも可能である。
【００４１】
また、上記実施形態では、バスダクトユニット１の接続ユニット２１から分岐導体２１５を突出させる所謂タップオフ型分岐構造としたが、本発明は分岐構造を問わず、例えば図９に示すようにプラグイン型分岐構造にも適用可能である。プラグイン型分岐構造とすることにより、分岐導体に相当する分岐用クリップを接続ユニット２１の導電性接続部材２１１間に接触片を挿入して分岐を行うことができ、分岐と取外しを一層容易化することが可能となる。また、分岐用クリップ或いはブレーカ等を有する分岐ユニットは、カバーで被覆して分岐ボックスとしておくと好適であり、通電時にも取付け・取外しが可能となるため、取扱いが容易となる。
【００４２】
また、上記実施形態では、導出部に相当する挿通開口部４１５１を３本など全ての別の分岐導体を一つの開口から導出可能な大きな開口としているが、別の分岐導体を導出可能なものであれば適宜であり、例えば３つ小さい孔が開口し、各開口からそれぞれ別の分岐導体を導出する構成としてもよく、開口を小さくすることにより防水効果が一層高めることができる。その他にも、適宜数の別の分岐導体を一つの開口に対応して設けることが可能である。
【００４３】
また、スペーサ１３は、図示省略するが、例えば断面ロ字形の内部が中空に形成されている形状、或いは断面コ字形でバスダクト１の導体１２１側を開口している形状のものなど適宜である。また、分岐ユニット側カバー部材４２に設ける点検蓋部４２６、点検窓４２７、遮断蓋４２８等は設けないことも可能であり、また、その構成、構造、個数などは適宜である。また、所要の各種部材間などにパッキンやシーリング等の止水材を設けても良く、より防水効果を向上させることが可能となる。また、ボルト・ナット等の部材には、シールワッシャーを介在して設けると、より防水効果を向上させることが可能となるので好適である。
【００４４】
また、接続ユニット２１、フランジ部２２、カバー部４などの構造、個数、形状なども適宜であり、防水可能な構造であれば全て含まれる。例えばカバー部４は、四面にそれぞれカバーを設ける構成以外に、断面コ字形のカバーを２つ対向して取付けるカバー部とし、四面を防水可能な構成とする、或いは円筒状のカバー部を取付けるなど適宜である。また、円筒状のカバー部を取付ける場合には、フランジ部のバスダクト長さ方向から見た形状を円形とすると、より美観に優れた防水構造を提供することが可能となって好ましい。
【００４５】
また、垂直布設バスダクトの分岐箇所は、接続部に限定されず、例えばバスダクトユニット１の中間部分の導体を所定距離離間させ、中間部分から分岐を行なう構成に適用し、この中間部分に被覆部材、カバー部などを取付ける構成としてもよい。この他にも、導出部に相当する別の分岐導体を導出可能な開口部を有する構成であれば本発明に全て含まれる。
【産業上の利用可能性】
【００４６】
本発明は、垂直方向に布設されるバスダクトの分岐部分の防水に利用することができる。
【図面の簡単な説明】
【００４７】
【図１】（ａ）は実施形態におけるバスダクトと取り付けられる本体カバー部材、水切部を示す正面図、（ｂ）はその側面図、（ｃ）はその横断面図、（ｄ）は同図（ｃ）の一部拡大断面図。
【図２】（ａ）は本体カバー部材と水切部が取り付けられた実施形態におけるバスダクトを示す正面図、（ｂ）はその側面図、（ｃ）はその横断面図、（ｄ）は同図（ｃ）の一部拡大断面図。
【図３】（ａ）は実施形態における接続部を示す正面図、（ｂ）はその接続部における接続ユニットを示す正面図、（ｃ）はその接続部の側面図、（ｄ）はその接続ユニットの側面図、（ｅ）はその接続部の平面図、（ｆ）は第１分岐導体の近傍を示す一部拡大断面図、（ｇ）はキャップの斜視図、（ｈ）は被覆部材の斜視図。
【図４】（ａ）は実施形態におけるバスダクトと接続部の接続前の状態を示す正面図、（ｂ）はその側面図。
【図５】（ａ）は実施形態におけるバスダクトと接続部を接続した後で分岐ユニットを取付ける前の状態を示す正面図、（ｂ）はその側面図。
【図６】（ａ）は実施形態におけるバスダクトを接続する接続部に分岐ユニットを取りつけた状態を示す正面図、（ｂ）はその側面図、（ｃ）はその一部横断平面図、（ｄ）はその固定金具の取付箇所における横断面図。
【図７】（ａ）は実施形態におけるバスダクト、接続部及び分岐ユニットにカバー部を取り付ける前の状態を示す正面図、（ｂ）はその側面図、（ｃ）はその一部横断平面説明図。
【図８】（ａ）は実施形態におけるバスダクト、接続部及び分岐ユニットにカバー部材を取り付けた後の実施形態の垂直布設バスダクトの防水分岐構造を示す正面図、（ｂ）はその側面図、（ｃ）はその一部横断底面説明図。
【図９】（ａ）はプラグイン分岐ユニットを使用する場合の変形例の垂直布設バスダクトの防水分岐構造を示す正面図、（ｂ）はその側面図。
【符号の説明】
【００４８】
１…バスダクトユニット  １２１…導体  １２２…絶縁物  １３…スペーサ  １４…側板  １４１…基面  １４２…第１補強部  １４３…第２補強部  １４４…本体接続側板  １５…締着具  １６…本体カバー  １６１…固定手段  １６２…屈曲片  １７…水切部  ２…接続部  ２１…接続ユニット  ２１１…導電性接続部材  ２１２…絶縁セパレータ  ２１２１…第１絶縁板  ２１２２…第２絶縁板  ２１３…接続側板  ２１３１…基板  ２１３２…接続片  ２１３３…取付片  ２１４…締着具  ２１５…分岐導体  ２２…フランジ部  ２２２…被覆部材  ２２２１…基板  ２２２２…垂下片  ２２２３…挿通部  ２２２４…上方片  ２２３…キャップ  ２２３１…上面  ２２３２…側面  ２２３３…挿通孔  ２３…接続カバー  ３…分岐ユニット  ３１…ブレーカ  ３２…ベース  ３２１…固定面  ３２２…脚片  ３２３…挿通部  ３２４…分岐面  ３２５…塞ぎ面  ３２６…固定片  ３２７…支持片  ３３…固定金具  ３３１…間隔片  ３３２…延設片  ３３３…支え片  ３３４…締着具  ３４…可撓導体  ４…カバー部  ４１…側面カバー部材  ４１１…基面  ４１２…上端片  ４１３…垂下片  ４１４…側方固定片  ４１５…下側片  ４１５１…挿通開口部  ４１５２…蓋体  ４２…分岐ユニット側カバー部材  ４２１…基面  ４２２…上端片  ４２３…垂下片  ４２４…屈曲片  ４２５…延設片  ４２６…点検蓋部  ４２７…点検窓  ４２８…遮断窓  ４３…幅面カバー部材  ４３１…基面  ４３２…上端片  ４３３…垂下片  ４３４…屈曲片  ４３５…延設片
【図１】
2010166762.tif 000003
【図２】
2010166762.tif 000004
【図３】
2010166762.tif 000005
【図４】
2010166762.tif 000006
【図５】
2010166762.tif 000007
【図６】
2010166762.tif 000008
【図７】
2010166762.tif 000009
【図８】
2010166762.tif 000010
【図９】
2010166762.tif 000011